(57)【要約】【課題】つなぎ止めた魚をフック部に対してロックさせ、フック部の形状に沿った魚の移動を止めることで、魚に傷が付くのを防ぎ、魚の体力消耗を抑えることができる魚釣り用ストリンガーを提供する。【解決手段】線状部材を曲げることにより形成されたフック部２の上部が開閉部３となり、フック部２の前記開閉部３を形成する一方の端部が直棒部４に形成され、前記開閉部３に、直棒部４の開位置と閉位置を選択的に選べる係止機構５を設けた魚釣り用ストリンガーであり、前記フック部２の下部側の位置に、このフック部２の外周よりも外方に突出する凸部分１０を折り曲げ形成した。【選択図】図１
2011135853.tif 000002
【特許請求の範囲】
【請求項１】
線状部材を曲げることにより形成されたフック部の上部が開閉部となり、フック部の前記開閉部を形成する一方の端部が突き刺し用の直棒部に形成され、前記開閉部に、直棒部の開位置と閉位置を選択的に選べる係止機構を設けた魚釣り用ストリンガーにおいて、
前記フック部の下部側の位置に、このフック部の外周よりも外方に突出する凸部分を形成したことを特徴とする魚釣り用ストリンガー。
【請求項２】
上記フック部は、金属の線状部材を曲げることにより形成され、このフック部の下部側の位置に形成した凸部分は、フック部を形成する線状部材の途中を、フック部の外周よりも外部下方に突出するＶ字状やＵ字状に折り曲げることによって形成されていることを特徴とする請求項１に記載の魚釣り用ストリンガー。
【請求項３】
上記フック部は、上記開閉部を形成する他方の端部が直線部となり、この直線部の上端に、直線部の上部延長を下方へ弧状に折り返すことによって環状部が連成され、上記係止機構が、前記環状部の下端延長を上方へ弧状に折り返し、その上向き自由端部をフック部に対して一面側に屈曲させることにより直棒部を閉位置に保持する係止片にして形成されていることを特徴とする請求項１又は２に記載の魚釣り用ストリンガー。
【請求項４】
上記フック部は、上記開閉部を形成する他方の端部が直線部となり、この直線部の上端に、直線部の上部延長を下方へ弧状に折り返すことによって弧状折り返し部が連成され、上記係止機構が、前記直線部に取付けられて上下に伸縮可能となり、閉位置にある直棒部に伸張状態で外嵌することにより直棒部を閉位置に保持し、上方への収縮状態で直棒部の係止を解くコイルスプリングで形成されていることを特徴とする請求項１又は２に記載の魚釣り用ストリンガー。
【発明の詳細な説明】
【技術分野】
【０００１】  この発明は、釣り上げた魚を潮だまり等に生かしておくための魚釣り用ストリンガーに関する。
【背景技術】
【０００２】  釣り上げた魚を生かしておくためのストリンガーは、ロープやワイヤー等の紐体に必要数を取付け、ストリンガーを形成するフック部を、例えば、魚の下顎から口に通してつなぎとめ、魚を潮だまり等に放し、紐体を地上やフロートにつなぎ止めるようにするものである。【０００３】  従来の魚釣り用ストリンガーは、金属の線状部材を曲げることにより形成されたフック部の上部が開閉部となり、フック部の前記開閉部を形成する一方の端部が直棒部に形成され、前記開閉部に、直棒部の開位置と閉位置を選択的に選べる係止機構を設け、更に、前記開閉部を形成する他方の端部に環状部を連成し、この環状部に連結した撚り戻しで紐体に取付けるようになっている（例えば、特許文献１参照）。
【先行技術文献】
【特許文献】
【０００４】
【特許文献１】実用新案登録第３１２９０６１号公報
【発明の概要】
【発明が解決しようとする課題】
【０００５】  ところで、上記従来のストリンガーは、魚をつなぎ止めるフック部が一本の線状部材を曲げることにより形成され、その下部が円弧状に湾曲する形状になっているため、フック部に引掛けた魚は、このフック部を形成する線状部材の長さ方向に沿って移動が自在となり、ストリンガーに対して魚の方向が変わることで、つなぎ止めた隣接する魚が互いに干渉して傷が生じたり弱るという問題がある。【０００６】  また、つなぎ止めた魚がフック部の形状に沿って移動することで、魚は不必要な動きをすることで体力を消耗させるという問題もある。【０００７】  そこで、この発明の課題は、つなぎ止めた魚をフック部に対してロックさせることができ、フック部の形状に沿った魚の移動を止めることで、魚に傷が付くのを防ぎ、魚の体力消耗を抑えることができる魚釣り用ストリンガーを提供することにある。
【課題を解決するための手段】
【０００８】  上記のような課題を解決するため、この発明は、線状部材を曲げることにより形成されたフック部の上部が開閉部となり、フック部の前記開閉部を形成する一方の端部が突き刺し用の直棒部に形成され、前記開閉部に、直棒部の開位置と閉位置を選択的に選べる係止機構を設けた魚釣り用ストリンガーにおいて、前記フック部の下部側の位置に、このフック部の外周よりも外方に突出する凸部分を形成したものである。【０００９】  上記フック部は、金属の線状部材を曲げることにより形成され、このフック部の下部側の位置に形成した凸部分は、フック部を形成する線状部材の途中を、フック部の外周よりも外部下方に突出するＶ字状やＵ字状に折り曲げることによって形成されているようにすることができる。【００１０】  また、上記フック部の前記開閉部を形成する他方の端部は直線部となり、この直線部の上端に、直線部の上部延長を下方へ弧状に折り返すことによって環状部が連成され、上記係止機構が、前記環状部の下端延長を上方へ弧状に折り返し、その上向き自由端部をフック部に対して一面側に屈曲させることにより直棒部を閉位置に保持する係止片とした円弧状に形成されているようにしてもよい。【００１１】  更に、上記フック部は、上記開閉部を形成する他方の端部が直線部となり、この直線部の上端に、直線部の上部延長を下方へ弧状に折り返すことによって弧状折り返し部が連成され、上記係止機構が、前記直線部に取付けられて上下に伸縮可能となり、閉位置にある直棒部に伸張状態で外嵌することにより直棒部を閉位置に保持し、上方への収縮状態で直棒部の係止を解くコイルスプリングで形成されている構造としてもよい。【００１２】  ここで、ストリンガーは、ステンレスのような一本の連続した金属の線状部材を用い、上記フック部は、上下に長いコ字状やＵ字状、長円状のような左右略対称形状に折り曲げたり、一方側を円弧状に湾曲させて外方に張り出させ、他方側を上下に直線状とした左右非対称の形状としてもよく、何れにおいても、開閉部を形成する一方端部の直棒部は上部先端を先鋭状とし、魚の下顎や鰓に対して突き刺しやすくなっている。【００１３】  上記フック部の下端側は、フック部の形状によって円弧状や直線状になっているが、この下端側に形成される凸部分は、下端部の略中央に位置し、線状部材のフック部における下端側を形成する部分の位置を外部下方へＶ字状やＵ字状、コ字状に折り曲げることによって形成され、フック部の直棒部を魚の下顎から口に突き刺したり、鰓から口に突き刺し、この突き刺し部分を凸部分に落とし込むようにすると、前記凸部分はフック部の内周が下部外側に落ち込んだ窪み形状になっているので、魚はこの凸部分でロックされ、フック部の形状に沿う移動が拘束されることで、ストリンガーに対する向きが一定に保持され、隣接する魚と接触するのを防ぎ、移動による体力の低下を防ぐことができる。
【発明の効果】
【００１４】  この発明によると、フック部の下部側の位置に、このフック部の外周よりも外方に突出する凸部分を形成したので、フック部を魚の下顎から口に通したり鰓から口に通してつなぎとめた状態で、突き刺し部分を凸部分に落とし込むようにすると、魚はこの凸部分で動きがロックされ、フック部の形状に沿う移動が拘束されることで、ストリンガーに対する向きが一定に保持され、隣接する魚との接触で魚に傷が付くのを防止でき、しかも、必要のない移動をしないようにすることで魚の体力消耗を抑え、引上げるまで魚が弱るのを防ぐことができる。
【図面の簡単な説明】
【００１５】
【図１】（ａ）は、この発明に係るストリンガーにおいて、第１の例の係止機構により開閉部を閉じた状態の正面図、（ｂ）は同じく開閉部を開いた状態の正面図
【図２】ストリンガーの直棒部を第１の例の係止機構に係止させた閉状態を示す要部の拡大した側面図
【図３】この発明に係るストリンガーの凸部分に魚をロックした状態を示す説明図
【図４】（ａ）は、この発明に係るストリンガーにおいて、第２の例の係止機構により開閉部を閉じた状態の正面図、（ｂ）は同じく開閉部を開いた状態の正面図
【発明を実施するための形態】
【００１６】  以下、この発明の実施の形態を添付図面に基づいて説明する。
【００１７】  図１（ａ）と（ｂ）のように、ストリンガー１は、ステンレスのような一本の連続した金属の線状部材を用い、この線状部材を曲げることにより形成されたフック部２の上部が開閉部３となり、フック部２の前記開閉部３を形成する一方の端部が魚に突き刺すための直棒部４に形成され、前記開閉部３に、直棒部４の開位置と閉位置を選択的に選べる係止機構５を設けた構造になっている。
【００１８】  上記フック部２は、図示の場合、線状部材を上下に長い両側の側杆２ａ、２ｂと、この側杆２ａ、２ｂの下端部をつなぐ下杆２ｃとに折り曲げることにより、上下に長い略コ字形に形成され、一方側杆２ａは少し内側に向けて湾曲し、その上端延長が少し外側へ向くようにした直棒部４となり、前記直棒部４の上端は魚に対して突き刺しやすくするために先鋭端４ａになっている。
【００１９】  また、他方側杆４ｂは上下に直線状となり、その上端延長が直線部６となり、上記直棒部４とこの直線部６が対向間隔の可変となる開閉部３を形成している。
【００２０】  図１と図２に示す第１の例の係止機構５は、上記直線部６の上端に、直線部６の上部延長に内側下方へ弧状に折り返した環状部７を連ねて設け、この環状部７の下端延長を直棒部４の側に向けて上方へ弧状に折り返し、外周の一部が直線部６と接触する円弧部８とし、前記円弧部８の上向きとなる自由端部を直線状にし、図２のように、この直線状部分をフック部２に対して一面側に少し屈曲させることにより、直棒部４の根元部分を引掛けて閉位置に保持する係止片９とした構造になっている。
【００２１】  上記ストリンガー１は、直棒部４を係止機構５から外した状態にすると、図１（ｂ）のように、フック部２を形成する線状部材の広がり弾性によって円弧部８よりも外方に離反して開閉部３が開状態となり、直棒部４を魚ａに突き刺す作業が支障なく行えるようになる。
【００２２】  また、開閉部３を形成する直棒部４と直線部６を接近させ、直棒部４を円弧部８の一面側に重なるようにしてその根元部分を円弧部８の係止片９に引掛けて保持させると、図１（ａ）と図２のように、開閉部３は、幅が狭くなると同時に直棒部４が円弧部８から環状部７に重なることで閉鎖され、係止機構５の係合により開閉部３が閉状態となる。
【００２３】  次に、図４（ａ）と（ｂ）は、フック部２の異なった形状と係止機構５の第２の例を示している。
【００２４】  図４に示すフック部２は、上下に長い両側の側杆２ａ、２ｂの一方側杆２ａを円弧状に湾曲させて外方に張り出させ、他方側杆２ｂを上下に直線状とした左右非対称の形状とし、この側杆２ａ、２ｂの下端部間に後述する凸部分１０が折り曲げ形成されている。
【００２５】  図４に示す第２の例の係止機構５は、上記他方側杆２ｂの上端に連なる直線部６の上端に、この直線部６の上部延長を内側下方へ折り返した弧状折り返し部７ａを連ねて設け、この弧状折り返し部７ａの下端延長を直線部６と間隔を保って平行する直線状の垂直部７ｂに形成し、前記垂直部７ｂと直棒部４の間が開閉部３となり、前記直線部６と垂直部７ｂ間の外側にコイルばね１４を外嵌し、弧状折り返し部７ａがコイルばね１４の上方への抜け止めとなり、また、垂直部７ｂの下端に設けた折り返し７ｃでコイルばね１４を下方への抜け止めとすることで、このコイルばね１４を弧状折り返し部７ａの下部と下端折り返し７ｃの間で上下に伸縮自在とした構造になっている。
【００２６】  この第２の例の係止機構５において、図４（ａ）は係止機構５の閉状態を、図４（ｂ）は係止機構５の開状態を示し、開状態の係止機構５を閉状態にするには、上記コイルばね１４の下端を指先で上方に押上げて、このコイルばね１４を上方に収縮させた状態で、直線部６の側に接近させた直棒部４の先端をコイルばね１４の直下に臨ませ、この状態でコイルばね１４の収縮を解いて伸長させると、図４（ａ）のように、コイルばね１４が閉位置にある直棒部４に被さることにより、コイルばね１４で直棒部４を垂直部７ｂに重なるように保持して開閉部３を閉状態に保持することになる。
【００２７】  また、閉状態に保持された開閉部３を開状態にするには、コイルばね１４の下端を押上げることによって収縮させ、この収縮によってコイルばね１４の下端を、直棒部４の先鋭端４ａよりも上方に位置させることにより直棒部４の保持を解けばよく、図４（ｂ）のように、直棒部４はフック部２の広がり弾性によって垂直部７ｂから離反して開閉部３が開状態となり、直棒部４を魚ａに突き刺す作業が行えることになる。
【００２８】  この発明のストリンガー１は、上記フック部２における下部側の位置に、このフック部２の外周よりも下部外方に突出する凸部分１０が折り曲げ形成されている。
【００２９】  図１乃至図３の場合、凸部分１０は、フック部２における下杆２ｃの略中央位置において、フック部２を形成する線状部材をＵ字状やＶ字状、コ字状等に折り曲げて形成し、フック部２の内周はこの凸部分１０において外方に窪むことになり、フック部２を魚ａに引掛けた状態で、魚ａの突き刺した部分をこの凸部分１０に落とし込むことにより、窪み形状によるフック部２の幅方向への動きを規制することで、魚ａをフック部２の形状に沿って移動しないようにロックことになる。
【００３０】  また、図４の場合、凸部分１０は、両側の側杆２ａ、２ｂにおける下端間の位置に、側杆２ａ、２ｂの下端をつなぐようにして折り曲げ形成している。
【００３１】  なお、上記フック部２は、図１乃至図３のような上下に長い略コ字状や、図４に示す左右非対称の形状だけでなく、上下に長いＵ字状や長円状のような形状としてもよく、また、上記凸部分１０は、これら各種形状を有するフック部２における下部側の位置に、このフック部の外周よりも外方に突出するように折り曲げ形成すればよい。
【００３２】  この発明のストリンガーは、上記のような構成であり、環状部７又は弧状折り返し部７に連結した撚り戻し１１とスナップ１２を用いて紐体１３に複数個のストリンガー１を取付け、このストリンガー１に釣り上げた魚ａを係止するには、先ず、ストリンガー１の開閉部３を開状態にする。
【００３３】  なお、紐体１３に対する複数個のストリンガー１の取付けは、各ストリンガー１が紐体１３に沿って自由に移動できる状態としたり、紐体１３に対に対して隣接するストリンガー１の間に間隔保持チューブ等を設け、隣接する各ストリンガー１の間に所定の間隔を保つようにすることができる。
【００３４】  なお、開閉部３の開閉操作は、図１と図２に示す第１の例の係止機構５に基づいて説明する。
【００３５】  図１（ａ）のように、ストリンガー１の閉状態にある開閉部３は、直棒部４の根元が係止機構５である円弧部８の係止片９に引掛けられて係合しているので、フック部２の両側杆２ａ、２ｂの上部を両側から指先で挟み、直棒部４が直線部６に接近するように押し込み力を加えると、移動した直棒部４は係止片９から離れて係合が解かれるので、この直棒部４に手前側へ移動する方向の力を加えた状態で押し込み力を解くと、フック部２の両側杆２ａ、２ｂの開離弾性で直棒部４は係止片９の前面を通過して開位置に移動し、開閉部３は直棒部４が係止機構５から離反した図１（ｂ）の開状態になる。
【００３６】  このような開閉部３の開状態で、直棒部４を魚ａの下顎から突き刺して口に通すが、鰓から口に通し、その後、フック部２の両側杆２ａ、２ｂの上部を両側から指先で挟み、直棒部４が直線部６に接近するように押し込み力を加え、直棒部４を係止片９の前面に対してスライド移動させ、係止片９を越えた位置で押し込み力を解くと、フック部２の両側杆２ａ、２ｂの開離弾性で直棒部４が戻ることで係止片９に係合し、開閉部３はワンタッチ操作で閉状態となる。
【００３７】  上記のようにしてフック部２に取付けた魚ａは、図３のように、下顎の貫通部分又は鰓から口の間を一方側杆２ａから下杆２ｃに沿って移動させ、下杆２ｃの略中間部に形成してある凸部分１０に落とし込み、この状態で魚ａを潮だまり等に放し、紐体１３を地上やフロートにつなぎ止めるようにする。
【００３８】  潮だまり等に放した魚ａは、フック部２が貫通する下顎の部分や鰓から口の間が、内周に対して窪んでいる凸部分１０に落ち込んでいるので、窪み形状による貫通部分の保持によって、フック部２の両側幅方向に対して移動しないようにロックされ、このため、魚ａはフック部２の形状に沿う移動が拘束されることで、ストリンガー１に対する向きが一定に保持され、隣接する魚との接触で魚に傷が付くのを防止でき、しかも、必要のない移動をしないようにすることで魚ａの体力消耗を抑え、引上げるまで魚ａが弱るのを防ぐことができる。
【００３９】  なお、ストリンガー１から魚ａを取外す場合は、係止機構５に直棒部４が係合して閉状態にあるストリンガー１の開閉部３を上記した操作によって開状態にし、フック部２を直棒部４の側に魚の下顎や鰓から抜き取るようにすればよい。
【符号の説明】
【００４０】１          ストリンガー
２          フック部
２ａ、２ｂ  側杆
２ｃ        下杆
３          開閉部
４          直棒部
５          係止機構
６          直線部
７          環状部
８          円弧部
９          係止片
１０        凸部分
１１        撚り戻し
１２        スナップ
１３        紐体
１４        コイルばね
【図１】
2011135853.tif 000003
【図２】
2011135853.tif 000004
【図３】
2011135853.tif 000005
【図４】
2011135853.tif 000006